【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
画像形成装置により記録材に形成された画像を読取って生成された読取画像の異常を検出する解析を行って解析結果を生成する読取画像解析部と、
前記解析結果に基づいて、前記異常が検出されなかった前記読取画像と前記異常が検出された前記読取画像のうち、前記異常が検出されなかった前記読取画像に基づいて生成された正常画像ファイルと、前記異常が検出された前記読取画像に基づいて生成された異常画像ファイルの少なくともいずれかを生成するファイル生成部と、を備える
画像検査装置。
【請求項２】
前記解析結果に関する情報と、前記異常が検出された前記読取画像を表示するための指示を受け付ける受付部とを表示部に表示する制御部をさらに備える、請求項１に記載の画像検査装置。
【請求項３】
前記制御部は、前記受付部を介して前記異常が検出された前記読取画像を表示するための指示を受け付けた場合に、前記異常が検出された前記読取画像を前記表示部に表示する、請求項２に記載の画像検査装置。
【請求項４】
前記解析結果に関する情報は、前記読取画像解析部の解析に基づく画像検査が行われた画像検査日時、前記異常が検出されたページ数、前記異常を検出するレベルに関する情報の少なくともいずれかを含む、請求項２または３に記載の画像検査装置。
【請求項５】
前記読取画像において検出される前記異常は、汚れ、スジの少なくともいずれかを含む、請求項１〜４のいずれかに記載の画像検査装置。
【請求項６】
前記ファイル生成部は、前記解析結果に基づいて解析結果ファイルを生成する、請求項１〜５のいずれかに記載の画像検査装置。
【請求項７】
前記読取画像解析部は、前記読取画像を基準画像と比較することにより前記読取画像の異常を検出する、請求項１〜６のいずれかに記載の画像検査装置。
【請求項８】
前記ファイル生成部は、前記画像形成装置が現ジョブを実行して前記記録材に形成した画像を読取部が読取って生成した前記現ジョブの前記読取画像を含む前記異常画像ファイルを、前記現ジョブの前記読取画像を含む前記正常画像ファイルよりも優先して生成する
請求項１〜７のいずれかに記載の画像検査装置。
【請求項９】
前記ファイル生成部は、前記画像形成装置が前記現ジョブよりも後に他ジョブを実行して前記記録材に形成した画像を読取って前記読取部が生成した前記他ジョブの前記読取画像を含む前記異常画像ファイルを、前記現ジョブの前記読取画像を含む前記正常画像ファイルよりも優先して生成する
請求項８に記載の画像検査装置。
【請求項１０】
前記ファイル生成部は、前記画像形成装置が前記現ジョブよりも後に他ジョブを実行して前記記録材に形成した画像を読取って前記読取部が生成した前記他ジョブの前記読取画像から異常が検知された場合に、前記現ジョブの前記読取画像から前記正常画像ファイルを生成する処理を停止し、前記他ジョブの前記読取画像から前記異常画像ファイルを優先して生成する
請求項８に記載の画像検査装置。
【請求項１１】
前記読取画像解析部は、前記読取画像の異常を検知すると前記画像形成装置に停止の指示を出力し、
前記ファイル生成部は、前記読取画像から前記異常画像ファイルを優先して生成する
請求項８に記載の画像検査装置。
【請求項１２】
前記ファイル生成部は、前記読取画像解析部によって前記異常が検出された前記読取画像に対応する前記画像を再び前記画像形成装置に形成させるリカバリ処理が行われた場合に、前記異常が検出された前記読取画像を前記異常画像ファイルとして生成しない
請求項２に記載の画像検査装置。
【請求項１３】
前記ファイル生成部は、前記読取画像解析部によって前記異常が検出された前記読取画像に対応する前記画像を再び前記画像形成装置に形成させるリカバリ処理が行われない場合に、前記異常が検出された前記読取画像を、前記正常画像ファイルよりも優先して前記異常画像ファイルとして生成し、又は前記異常が検出された前記読取画像だけを前記異常画像ファイルとして生成する
請求項１に記載の画像検査装置。
【請求項１４】
前記ファイル生成部は、ジョブ単位、部単位、規定のページ数単位、又は規定のファイルサイズ単位に分離して前記正常画像ファイルを生成する
請求項１〜１３のいずれか一項に記載の画像検査装置。
【請求項１５】
前記ファイル生成部は、ユーザーの設定により、前記正常画像ファイル又は前記異常画像ファイルのいずれかを生成する
請求項１〜１４のいずれか一項に記載の画像検査装置。
【請求項１６】
画像形成装置により記録材に形成された画像を読取って生成された読取画像の異常を検出する解析を行って解析結果を生成する手順と、
前記解析結果に基づいて、前記異常が検出されなかった前記読取画像と前記異常が検出された前記読取画像のうち、前記異常が検出されなかった前記読取画像に基づいて生成された正常画像ファイルと、前記異常が検出された前記読取画像に基づいて生成された異常画像ファイルの少なくともいずれかを生成する手順と、を
コンピュータに実行させるためのプログラム。
【請求項１７】
前記解析結果に関する情報と、前記異常が検出された前記読取画像を表示するための指示を受け付ける受付部とを表示部に表示する手順をさらに前記コンピュータに実行させる、請求項１６に記載のプログラム。
【請求項１８】
前記受付部を介して前記異常が検出された前記読取画像を表示するための指示を受け付けた場合に、前記異常が検出された前記読取画像を前記表示部に表示する手順をさらに前記コンピュータに実行させる、請求項１７に記載のプログラム。
【請求項１９】
前記解析結果に関する情報は、前記読取画像の異常を検出する解析に基づく画像検査が行われた画像検査日時、前記異常が検出されたページ数、前記異常を検出するレベルに関する情報の少なくともいずれかを含む、請求項１７または１８に記載のプログラム。
【請求項２０】
前記読取画像において検出される前記異常は、汚れ、スジの少なくともいずれかを含む、請求項１６〜１９のいずれかに記載のプログラム。
【請求項２１】
前記解析結果に基づいて解析結果ファイルを生成する手順をさらに備える、請求項１６〜２０のいずれかに記載のプログラム。
【請求項２２】
画像形成装置により記録材に形成された画像を読取って生成された読取画像の異常を検出する解析を行って解析結果を生成する手順と、
前記解析結果に基づいて、前記異常が検出されなかった前記読取画像と前記異常が検出された前記読取画像のうち、前記異常が検出されなかった前記読取画像に基づいて生成された正常画像ファイルと、前記異常が検出された前記読取画像に基づいて生成された異常画像ファイルの少なくともいずれかを生成する手順と、を含む
画像検査方法。
【請求項２３】
前記解析結果に関する情報と、前記異常が検出された前記読取画像を表示するための指示を受け付ける受付部とを表示部に表示する手順をさらに備える、請求項２２に記載の画像検査方法。
【請求項２４】
前記受付部を介して前記異常が検出された前記読取画像を表示するための指示を受け付けた場合に、前記異常が検出された前記読取画像を前記表示部に表示する手順をさらに含む、請求項２３に記載の画像検査方法。
【請求項２５】
前記解析結果に関する情報は、前記読取画像の異常を検出する解析に基づく画像検査が行われた画像検査日時、前記異常が検出されたページ数、前記異常を検出するレベルに関する情報の少なくともいずれかを含む、請求項２３または２４に記載の画像検査方法。
【請求項２６】
前記読取画像において検出される前記異常は、汚れ、スジの少なくともいずれかを含む、請求項２２〜２５のいずれかに記載の画像検査方法。
【請求項２７】
前記解析結果に基づいて解析結果ファイルを生成する手順をさらに備える、請求項２２〜２６のいずれかに記載の画像検査方法。
【請求項２８】
前記解析結果を生成する手順は、前記読取画像を基準画像と比較することにより前記読取画像の異常を検出する、請求項２２〜２７のいずれかに記載の画像検査方法。
【請求項２９】
記録材に画像を形成する画像形成部と、
前記記録材に形成された画像を読取って読取画像を生成する読取部と、
前記読取画像の異常を検出する解析を行って解析結果を生成する読取画像解析部と、
前記解析結果に基づいて、前記異常が検出されなかった前記読取画像と前記異常が検出された前記読取画像のうち、前記異常が検出されなかった前記読取画像に基づいて生成された正常画像ファイルと、前記異常が検出された前記読取画像に基づいて生成された異常画像ファイルの少なくともいずれかを生成するファイル生成部と、を備える
画像形成システム。
【請求項３０】
画像形成システムで実行される画像検査方法であって、
記録材に画像を形成する手順と、
前記記録材に形成された画像を読取って読取画像を生成する手順と、
前記読取画像の異常を検出する解析を行って解析結果を生成する手順と、
前記解析結果に基づいて、前記異常が検出されなかった前記読取画像と前記異常が検出された前記読取画像のうち、前記異常が検出されなかった前記読取画像に基づいて生成された正常画像ファイルと、前記異常が検出された前記読取画像に基づいて生成された異常画像ファイルの少なくともいずれかを生成する手順と、を備える
画像検査方法。
【請求項３１】
記録材に画像を形成する画像形成部と、
前記記録材に形成された画像を読取って読取画像を生成する読取部と、前記読取画像の異常を検出する解析を行って解析結果を生成し、前記解析結果及び前記読取画像を送信する読取画像解析部と、を有する画像検査装置から受信した前記解析結果に基づいて、前記異常が検出されなかった前記読取画像と前記異常が検出された前記読取画像のうち、前記異常が検出されなかった前記読取画像に基づいて生成された正常画像ファイルと、前記異常が検出された前記読取画像に基づいて生成された異常画像ファイルの少なくともいずれかを生成するファイル生成部と、を備える
画像形成装置。
【手続補正２】
【補正対象書類名】明細書
【補正対象項目名】発明の名称
【補正方法】変更
【補正の内容】
【発明の名称】画像検査装置、プログラム、画像検査方法、画像形成システム及び画像形成装置
【手続補正３】
【補正対象書類名】明細書
【補正対象項目名】０００１
【補正方法】変更
【補正の内容】
【０００１】
本発明は、画像検査装置、プログラム、画像検査方法、画像形成システム及び画像形成装置に関する。
【手続補正４】
【補正対象書類名】明細書
【補正対象項目名】０００６
【補正方法】変更
【補正の内容】
【０００６】
従来、ユーザーに提供されるレポートは、スキャンされた画像に発生した異常箇所をユーザーに明示することを目的として作成されていた。しかし、このレポートには、印刷物の作成にかかるエビデンスとして管理される情報がなかったため、用紙に正常画像が形成されたことをエビデンスとして示せなかった。ただし、正常画像のページ数は非常に大きくなることが想定される。このため、正常画像のエビデンスのサイズは非常に大きくなり、正常画像のエビデンスの生成と、異常画像のエビデンスの生成とを行うと、異常画像のエビデンスの生成が完了するまでに時間がかかってしまう。一方で読取画像に異常が検出されたのであれば、ユーザーは異常の発生を速やかに知りたいという要望がある。このため、異常の発生時には、どのような異常が発生したかをユーザーが把握できるようにする必要があった。
【手続補正５】
【補正対象書類名】明細書
【補正対象項目名】０００７
【補正方法】変更
【補正の内容】
【０００７】
本発明はこのような状況に鑑みて成されたものであり、印刷物の作成にかかるエビデンスを提供し、異常の発生時には異常の内容を知らせることを目的とする。
【手続補正６】
【補正対象書類名】明細書
【補正対象項目名】０００８
【補正方法】変更
【補正の内容】
【０００８】
上述した目的のうち少なくとも一つを実現するために、本発明の一側面を反映した画像検査装置は、画像形成装置により記録材に形成された画像を読取って生成された読取画像の異常を検出する解析を行って解析結果を生成する読取画像解析部と、解析結果に基づいて、異常が検出されなかった読取画像と異常が検出された読取画像のうち、異常が検出されなかった読取画像に基づいて生成された正常画像ファイルと、異常が検出された読取画像に基づいて生成された異常画像ファイルの少なくともいずれかを生成するファイル生成部と、を備える。  なお、上記の画像検査装置は本発明の一態様であり、本発明の一側面を反映したプログラム、画像検査方法、画像形成システム及び画像形成装置についても、上記の画像検査装置と同様の構成を有する。
【手続補正７】
【補正対象書類名】明細書
【補正対象項目名】０００９
【補正方法】変更
【補正の内容】
【０００９】
本発明によれば、異常が検出されなかった読取画像を含む正常画像ファイルを生成することにより、この正常画像ファイルをエビデンスとしてユーザーに提供することができる。また、異常が検出された読取画像を含む異常画像ファイルを生成することにより、ユーザーは異常の発生時には異常の内容を速やかに把握することが可能となる。
上記した以外の課題、構成及び効果は、以下の実施の形態の説明により明らかにされる。